(57)【要約】【課題】乗客及び駅員へ負担を掛けずに乗客の不正乗車を検出できるようにする。【解決手段】本発明の一実施形態に係る不正乗車検出装置１は、鉄道の定期券を提示した乗客の第１画像を取得する第１画像取得部１１２と、駅又は車両内における乗客の第２画像を取得する第２画像取得部１１３と、第１画像と、定期券の区間外の駅又は車両内で撮像された第２画像とが同一の乗客を示す場合に、不正な乗車であることを判定する判定部１１４と、判定部１１４が判定した不正な乗車であることを示す情報を出力する出力部１１５と、を有する。【選択図】図３
2019067210.tif 000002
【特許請求の範囲】
【請求項１】
鉄道の定期券を提示した乗客の第１画像を取得する第１画像取得部と、
駅又は車両内における前記乗客の第２画像を取得する第２画像取得部と、
前記第１画像と、前記定期券の区間外の駅又は車両内で撮像された前記第２画像とが同一の前記乗客を示す場合に、不正な乗車であることを判定する判定部と、
前記判定部が判定した前記不正な乗車であることを示す情報を出力する出力部と、
を有する不正乗車検出装置。
【請求項２】
前記判定部は、前記乗客について前記不正な乗車であることを判定した回数を記録し、
前記出力部は、前記乗客について記録された前記回数が所定値以上である場合に、前記不正な乗車であることを示す情報を出力する、請求項１に記載の不正乗車検出装置。
【請求項３】
前記判定部は、前記乗客がいずれかの駅で入場した時間からいずれかの駅で退場した時間までの経過時間が所定時間よりも長い場合に、前記乗客について前記不正な乗車であるか否かの判定を行う、請求項１又は２に記載の不正乗車検出装置。
【請求項４】
前記判定部は、前記乗客が入場した駅と特定の駅との間の所要時間に基づく時間範囲内に撮像された前記第２画像を用いて、前記不正な乗車であるか否かの判定を行う、請求項１から３のいずれか一項に記載の不正乗車検出装置。
【請求項５】
前記出力部は、前記乗客が前記定期券の区間外の駅で退場した場合には、前記不正な乗車であることを示す情報を出力しない、請求項１から４のいずれか一項に記載の不正乗車検出装置。
【請求項６】
前記第２画像取得部は、車両に乗り込む際の前記乗客又は既に車両に乗車している前記乗客を撮像した前記第２画像を取得する、請求項１から５のいずれか一項に記載の不正乗車検出装置。
【発明の詳細な説明】
【技術分野】
【０００１】
本発明は、鉄道車両における不正乗車を検出する不正乗車検出装置に関する。
【背景技術】
【０００２】
鉄道事業者は、所定の区間（以下、定期券区間ともいう）で自由に乗降可能な定期券を乗客に販売している。乗客は、定期券区間内の乗車駅の改札で定期券を提示した後、定期券区間内の下車駅の改札で定期券を提示することによって、追加料金を支払うことなく鉄道を利用することができる。
【０００３】
近年、定期券を利用した不正乗車が問題となっている。例えば、乗客が定期券区間内の駅で定期券を提示して乗車した後、定期券区間外の駅（始発駅や急行停車駅）に行って折り返し乗車を行い、再び定期券区間内の駅で定期券を提示して下車する。この場合に、乗客は定期券区間外の乗車の料金を支払わないため、不正乗車となる。乗客は乗車駅及び下車駅でのみ定期券を提示するため、鉄道事業者は乗客の途中の乗車経路を特定することができない。そのため、乗客の不正乗車を検出することは困難であった。
【０００４】
特許文献１には、定期券に送受信機及び記憶装置を搭載し、車両から送信される駅の経由情報を定期券内に記憶することによって、乗客の乗車経路を特定する技術が記載されている。このような技術によれば、鉄道事業者は乗客の乗車経路を特定し、乗客に対して定期券区間外の料金を請求することが可能になる。
【先行技術文献】
【特許文献】
【０００５】
【特許文献１】特開平１０−３２０５９４号公報
【発明の概要】
【発明が解決しようとする課題】
【０００６】
しかしながら、特許文献１に記載の技術では、定期券に送受信機及び記憶装置を搭載する必要があるため、従来の定期券よりも重くなり、乗客にとって負担が大きくなって不便である。また、特許文献１に記載の技術を用いずに駅員が乗客の不正乗車を監視する場合には、駅員の負担が大きい。
【０００７】
本発明は上述の点に鑑みてなされたものであり、乗客及び駅員へ負担を掛けずに乗客の不正乗車を検出可能な不正乗車検出装置を提供することを目的とする。
【課題を解決するための手段】
【０００８】
本発明の第１の態様に係る不正乗車検出装置は、鉄道の定期券を提示した乗客の第１画像を取得する第１画像取得部と、駅又は車両内における前記乗客の第２画像を取得する第２画像取得部と、前記第１画像と、前記定期券の区間外の駅又は車両内で撮像された前記第２画像とが同一の前記乗客を示す場合に、不正な乗車であることを判定する判定部と、前記判定部が判定した前記不正な乗車であることを示す情報を出力する出力部と、を有する。
【０００９】
前記判定部は、前記乗客について前記不正な乗車であることを判定した回数を記録し、前記出力部は、前記乗客について記録された前記回数が所定値以上である場合に、前記不正な乗車であることを示す情報を出力してもよい。
【００１０】
前記判定部は、前記乗客がいずれかの駅で入場した時間からいずれかの駅で退場した時間までの経過時間が所定時間よりも長い場合に、前記乗客について前記不正な乗車であるか否かの判定を行ってもよい。
【００１１】
前記判定部は、前記乗客が入場した駅と特定の駅との間の所要時間に基づく時間範囲内に撮像された前記第２画像を用いて、前記不正な乗車であるか否かの判定を行ってもよい。
【００１２】
前記出力部は、前記乗客が前記定期券の区間外の駅で退場した場合には、前記不正な乗車であることを示す情報を出力しなくてもよい。
【００１３】
前記第２画像取得部は、車両に乗り込む際の前記乗客又は既に車両に乗車している前記乗客を撮像した前記第２画像を取得してもよい。
【発明の効果】
【００１４】
本発明によれば、乗客及び駅員へ負担を掛けずに乗客の不正乗車を検出できるという効果を奏する。
【図面の簡単な説明】
【００１５】
【図１】第１の実施形態に係る不正乗車検出システムの模式図である。
【図２】第１の実施形態に係る不正乗車検出装置が検出する不正乗車を説明するための模式図である。
【図３】第１の実施形態に係る不正乗車検出システムのブロック図である。
【図４】第１の実施形態において記憶部に記憶される情報の模式図である。
【図５】第１の実施形態に係る不正乗車検出方法の入場時処理のフローチャートを示す図である。
【図６】第１の実施形態に係る不正乗車検出方法の乗車時処理のフローチャートを示す図である。
【図７】第１の実施形態に係る不正乗車検出方法の退場時処理のフローチャートを示す図である。
【図８】第２の実施形態に係る不正乗車検出方法の乗車時処理のフローチャートを示す図である。
【図９】第２の実施形態に係る不正乗車検出方法の退場時処理のフローチャートを示す図である。
【図１０】第３の実施形態に係る不正乗車検出方法の退場時処理のフローチャートを示す図である。
【発明を実施するための形態】
【００１６】
（第１の実施形態）
図１は、本実施形態に係る不正乗車検出システムＳの模式図である。不正乗車検出システムＳは、不正乗車検出装置１と、第１カメラ２１と、第２カメラ２２と、入場改札３１と、退場改札３２と、駅端末４と、を含む。
【００１７】
不正乗車検出装置１、第１カメラ２１、第２カメラ２２、入場改札３１、退場改札３２及び駅端末４は、ローカルエリアネットワーク、インターネット等の任意のネットワークＮを介して接続される。不正乗車検出システムＳは、その他のサーバ、端末等の機器を含んでもよい。
【００１８】
入場改札３１及び退場改札３２は、それぞれ乗客（ユーザ）の通過を制限するための開閉体を有する。入場改札３１及び退場改札３２は、乗客が提示したＩＣ（Integrated Circuit）カード又は磁気カード（以下、総称してカードという）に記録された情報を接触方式又は非接触方式で読み取るカードリーダを有している。入場改札３１及び退場改札３２は、ネットワークＮを介して、乗客のカードから読み取った情報を不正乗車検出装置１に送信する。
【００１９】
カードには、該カードを識別するカード情報とともに、定期券区間が予め記録されている。入場改札３１又は退場改札３２が設置されている駅がカードから読み取った定期券区間内である場合に、該入場改札３１又は退場改札３２は開閉体を開放するように制御する。入場改札３１又は退場改札３２が設置されている駅がカードから読み取った定期券区間外である場合に、該入場改札３１又は退場改札３２は開閉体を閉鎖するように制御する。
【００２０】
入場改札３１又は退場改札３２が設置されている駅が定期券区間外である場合には、該入場改札３１又は退場改札３２は、カードに予め記録された金銭残高から不足運賃を差し引くことによって、開閉体を開放するように制御する。また、乗客は、駅の窓口又は駅に設置された清算機において不足運賃の精算を行うことによって、入場改札３１又は退場改札３２を通過することができる。
【００２１】
第１カメラ２１及び第２カメラ２２は、それぞれ所定の撮像範囲を撮像して画像を取得する撮像装置である。第１カメラ２１は、駅において、入場改札３１を通過する際の乗客の顔を含む領域を撮像可能な位置に設けられる。第２カメラ２２は、車両又は駅において、車両に乗り込む際の乗客の顔を含む領域を撮像可能な位置に設けられる。第２カメラ２２は、全ての駅に設けられてもよく、あるいは始発駅や急行停車駅等の区間外乗車による折り返し乗車が行われやすい特定の駅にのみ設けられてもよい。
【００２２】
第１カメラ２１及び第２カメラ２２は、それぞれＣＣＤ（Charge Coupled Device）センサ、ＣＭＯＳ（Complementary Metal Oxide Semiconductor）センサ等、撮像を行うための撮像素子を含む。第１カメラ２１及び第２カメラ２２は、ネットワークＮを介して、取得した画像を不正乗車検出装置１に送信する。
【００２３】
駅端末４は、駅に設けられ、不正乗車検出装置１によって不正乗車が検出されたことを駅員に対して通知する端末である。駅端末４は、ディスプレイ、スピーカ、ランプ等、駅員への通知を行うための機構を有する。駅端末４は、ネットワークＮを介して、通知を示す情報を不正乗車検出装置１から受信する。
【００２４】
不正乗車検出装置１は、乗客の不正乗車を検出する装置である。不正乗車検出装置１は、後述の不正乗車検出方法を実行するためのプログラムを予め記憶する。不正乗車検出装置１は、有線通信又は無線通信によってネットワークＮに接続されており、単一のコンピュータ、又はコンピュータ資源の集合であるクラウドによって構成される。
【００２５】
［不正乗車の説明］
図２（ａ）〜図２（ｃ）は、本実施形態に係る不正乗車検出装置１が検出する不正乗車を説明するための模式図である。図２（ａ）〜図２（ｃ）には、例示的に駅Ｃ、駅Ａ及び駅Ｂがこの順で並んでいる鉄道路線が表されている。乗客は、駅Ａと駅Ｂとの間の区間の定期券を有しているが、駅Ｃと駅Ａとの間の区間の定期券を有していない。
【００２６】
図２（ａ）において、乗客は駅Ａで入場し、駅Ｂ方面の列車に乗車し、駅Ｂで退場する。この場合には、乗客は定期券区間内の乗車のみを行っているため、不正乗車検出装置１は不正乗車を検出しない。
【００２７】
図２（ｂ）において、乗客は駅Ａで入場し、駅Ｃ方面の列車に乗車し、駅Ｃで退場する。この場合には、乗客は定期券区間外である駅Ａから駅Ｃまでの乗車を行っているが、駅Ｃにおいて不足運賃の精算が行われるため、不正乗車検出装置１は不正乗車を検出しない。
【００２８】
図２（ｃ）において、乗客は駅Ａで入場し、駅Ｃ方面の列車に乗車した後、駅Ｃで駅Ｂ方面の列車に乗車し、駅Ｂで退場する。この場合には、乗客は定期券区間外である駅Ａから駅Ｃまでの乗車を行っているにもかかわらず、駅Ｂが定期券区間内であるため駅Ａから駅Ｃまでの区間の運賃の精算が行われない。そのため、不正乗車検出装置１は不正乗車（区間外乗車）を検出する。
【００２９】
例えば駅Ｃが列車の始発駅である場合に、乗客は空いている列車に乗車することを目的として図２（ｃ）のような区間外乗車を行うことがある。また、例えば駅Ｃが急行列車の停車駅であり、駅Ａが急行列車の停車駅でない場合に、乗客は急行列車に乗車することを目的として図２（ｃ）のような区間外乗車を行うことがある。従来、鉄道事業者は乗客の乗車経路が特定できなかったため、区間外乗車に係る運賃を乗客から徴収できなかった。また、駅Ｃから駅Ｂまでの定期券を購入して正当な乗車を行う乗客と、駅Ａから駅Ｂまでの定期券を購入して区間外乗車を行う乗客との間で不公平が生じていた。
【００３０】
不正乗車検出装置１は区間外乗車を行った乗客を特定して駅員に通知することによって、適切な運賃徴収を可能にし、乗客間の不公平を是正することができる。
【００３１】
［不正乗車検出システムＳの構成］
図３は、本実施形態に係る不正乗車検出システムＳのブロック図である。図３において、矢印は主なデータの流れを示しており、図３に示したもの以外のデータの流れがあってよい。図３において、各ブロックはハードウェア（装置）単位の構成ではなく、機能単位の構成を示している。そのため、図３に示すブロックは単一の装置内に実装されてよく、あるいは複数の装置内に別れて実装されてよい。ブロック間のデータの授受は、データバス、ネットワーク、可搬記憶媒体等、任意の手段を介して行われてよい。
【００３２】
不正乗車検出装置１は、制御部１１と、通信部１２と、記憶部１３と、を有する。制御部１１は、情報取得部１１１と、第１画像取得部１１２と、第２画像取得部１１３と、判定部１１４と、出力部１１５と、を有する。
【００３３】
通信部１２は、ネットワークＮを介して第１カメラ２１、第２カメラ２２、入場改札３１、退場改札３２及び駅端末４との間で通信をするための通信インターフェースである。通信部１２は、第１カメラ２１、第２カメラ２２、入場改札３１、退場改札３２及び駅端末４から受信した通信信号に所定の処理を行ってデータを取得し、取得したデータを制御部１１に入力する。また、通信部１２は、制御部１１から入力されたデータに所定の処理を行って通信信号を生成し、生成した通信信号を第１カメラ２１、第２カメラ２２、入場改札３１、退場改札３２及び駅端末４に送信する。
【００３４】
記憶部１３は、ＲＯＭ（Read Only Memory）、ＲＡＭ（Random Access Memory）、ハードディスクドライブ等を含む記憶媒体である。記憶部１３は、制御部１１が実行するプログラムを予め記憶している。
【００３５】
制御部１１は、例えばＣＰＵ（Central Processing Unit）等のプロセッサであり、記憶部１３に記憶されたプログラムを実行することにより、情報取得部１１１、第１画像取得部１１２、第２画像取得部１１３、判定部１１４及び出力部１１５として機能する。制御部１１の機能の少なくとも一部は、電気回路によって実行されてもよい。また、制御部１１の機能の少なくとも一部は、ネットワーク経由で実行されるプログラムによって実行されてもよい。
【００３６】
本実施形態に係る不正乗車検出装置１は、図３に示す具体的な構成に限定されない。不正乗車検出装置１は、１つの装置に限られず、２つ以上の物理的に分離した装置が有線又は無線で接続されることにより構成されてもよい。
【００３７】
情報取得部１１１は、入場改札３１及び退場改札３２から、入場改札３１及び退場改札３２が乗客のカードから読み取った情報とともに、入場改札３１及び退場改札３２が設置されている駅を識別する情報を取得し、記憶部１３に記憶させる。乗客のカードから読み取った情報は、カードを識別するカード情報と、定期券区間を示す定期券区間情報とを含む。
【００３８】
第１画像取得部１１２は、第１カメラ２１から、第１カメラ２１が撮像した画像（第１画像という）を取得し、情報取得部１１１が取得した情報と関連付けて記憶部１３に記憶させる。さらに第１画像取得部１１２は、第１画像から人の顔及び服装等の特徴を示す情報（第１特徴情報という）を抽出し、情報取得部１１１が取得した乗客を特定するためのカード情報と関連付けて記憶部１３に記憶させる。第２画像取得部１１３は、第２カメラ２２から、第２カメラ２２が撮像した画像（第２画像という）を取得し、記憶部１３に記憶させる。さらに第２画像取得部１１３は、第２画像から人の顔及び服装等の特徴を示す情報（第２特徴情報という）を抽出し、記憶部１３に記憶させる。第１特徴情報及び第２特徴情報は、乗客の顔及び服装等の画像を表す画像データであってもよく、顔及び服装等の特徴を数値化した情報（特徴量）であってもよい。
【００３９】
第１特徴情報及び第２特徴情報は、判定部１１４がそれらを比較することによって、人物の同一性を判定するために用いられる。画像から人物の同一性を判定するために、公知の画像認識技術を用いることができる。第１特徴情報及び第２特徴情報として、画像認識技術によって利用される任意の値を用いることができ、例えば第１画像及び第２画像中の各領域における輝度の分布を示す値を用いることができる。
【００４０】
不正乗車検出装置１は、第１画像及び第２画像を直接比較することによって、第１画像が示す乗客と第２画像が示す乗客との同一性を判定してもよい。この場合には、第１画像取得部１１２及び第２画像取得部１１３は、第１特徴情報及び第２特徴情報を抽出及び記憶しない。
【００４１】
また、第２画像取得部１１３は、第２画像を撮像した駅（すなわち乗車駅）を示す情報を、該第２画像と関連付けて記憶部１３に記憶させる。第２カメラ２２が車両に設けられる場合には、第２画像取得部１１３は、車両から現在停車中の駅を示す情報を受け取って第２画像が撮像された駅を特定する。第２カメラ２２が駅に設けられる場合には、第２画像取得部１１３は、予め記憶部１３に記憶された第２カメラ２２の設置駅のデータベースから、第２カメラ２２が第２画像を撮像した駅を特定する。
【００４２】
第１画像取得部１１２は、第１カメラ２１が撮像した第１画像を取得する代わりに、予め記憶部１３に記憶されている第１画像又は第１特徴情報を読み出すことによって、第１画像又は第１特徴情報を取得してもよい。この場合には、第１画像は、例えば乗客が定期券を購入する際等の所定のタイミングで、乗客の顔を撮影可能な位置に設置された撮像装置によって撮像される。記憶部１３には、所定のタイミングで撮像された第１画像又は該第１画像から抽出された第１特徴情報が、乗客のカード情報と関連付けられて予め記憶される。そして第１画像取得部１１２は、入場改札３１が読み取ったカード情報に関連付けられた第１画像又は第１特徴情報を取得する。
【００４３】
このような構成によって、第１カメラ２１を入場改札３１に設ける必要がなくなる。また、乗客の入場時に第１画像及び第１特徴情報の取得を行わないため、特に乗客が集中する時間帯において不正乗車検出装置１の負荷を軽減できる。
【００４４】
判定部１１４は、第２画像から抽出された第２特徴情報を、記憶部１３に記憶された第１特徴情報のそれぞれと照合する。そして第１特徴情報と第２特徴情報とが類似している（具体的には第１特徴情報と第２特徴情報とから算出された類似度が所定値以上である）場合に、判定部１１４は、該第１特徴情報が示す乗客と該第２特徴情報が示す乗客とが同一であると判定し、該第１特徴情報と該第２特徴情報とを関連付ける。言い換えると、判定部１１４は、第１画像に写っている乗客が、第２画像にも写っていると判定する。
【００４５】
判定部１１４は、第１特徴情報が示す乗客と第２特徴情報が示す乗客とが同一であると判定した場合に、該乗客が写っている第２画像が撮像された乗車駅が、該乗客のカードに記録された定期券区間以外の区間に含まれるか否かを判定する。そして判定部１１４は、乗車駅が定期券区間以外の区間に含まれる場合に区間外乗車と判定し、そうでない場合に区間外乗車でない（すなわち正当な乗車である）と判定する。判定部１１４は、判定の結果を記憶部１３に記憶させる。
【００４６】
出力部１１５は、判定部１１４が判定した結果を所定の方法で出力する。例えば出力部１１５は、判定部１１４によって区間外乗車を行ったことが判定された乗客が退場改札３２を通過する際に、該乗客が区間外乗車を行ったことを示す情報と該乗客を特定する情報とを駅端末４に通知する。例えば、出力部１１５は、駅端末４のディスプレイに、乗客の顔の画像（すなわち第１画像及び第２画像の少なくとも一方）を、乗客を特定する情報として表示させる。また、出力部１１５は、退場改札３２に区間外乗車であることを示す情報を出力し、退場改札３２は該情報を受け取ると開閉体を閉鎖する。
【００４７】
ここで、乗客が定期券区間外で退場した場合には、該乗客に対して判定部１１４が区間外乗車を判定した場合であっても、出力部１１５は判定結果の出力を行わない。乗客が定期券区間外で退場する際には、図２（ｂ）のように不足運賃の精算がなされるため、不正乗車ではなくなるためである。
【００４８】
また出力部１１５は、記憶装置に記憶させること、スピーカから音声を出力すること、ランプを点灯させること、プリンタから印刷すること等、任意の方法によって、判定部１１４が判定した結果を出力してもよい。
【００４９】
［記憶部１３に記憶される情報］
図４（ａ）〜図４（ｃ）は、本実施形態において記憶部１３に記憶される情報の模式図である。図４（ａ）は、乗客が入場改札３１を通過する際（すなわち入場時）に記憶される入場時情報Ｄを表す。入場時情報Ｄは、カードを識別するためのカード情報（例えばカードＩＤ）と、定期券区間を示す定期券区間情報と、入場駅を識別する入場駅情報と、第１カメラ２１から取得された第１画像と、第１画像から抽出された第１特徴情報と、区間外乗車フラグとを含む。
【００５０】
情報取得部１１１は、入場改札３１が乗客のカードから読み取ったカード情報及び定期券区間情報を、該入場改札３１が設置されている駅を識別する入場駅情報とともに、入場時情報Ｄとして記憶部１３に記憶させる。また、第１画像取得部１１２は、該乗客を第１カメラ２１が撮像した第１画像及び第１画像から抽出した第１特徴情報を、入場時情報Ｄとして記憶部１３に記憶させる。区間外乗車フラグは、初期値として区間外乗車でないことを示す値に設定され、判定部１１４が区間外乗車を判定した場合に区間外乗車であることを示す値に設定される。
【００５１】
図４（ｂ）は、乗客が車両に乗車する際（すなわち乗車時）に記憶される乗車時情報Ｅを表す。乗車時情報Ｅは、乗車駅を示す乗車駅情報と、第２カメラ２２から取得された第２画像と、第２画像から抽出された第２特徴情報とを含む。第２画像取得部１１３は、第２カメラ２２が撮像した第２画像及び第２画像から抽出した第２特徴情報を、該第２画像が撮像された駅を識別する乗車駅情報とともに、乗車時情報Ｅとして記憶部１３に記憶させる。
【００５２】
図４（ｃ）は、乗客が退場改札３２を通過する際（すなわち退場時）に記憶される退場時情報Ｆを表す。退場時情報Ｆは、カードを識別するためのカード情報と、退場駅を識別する退場駅情報とを含む。情報取得部１１１は、退場改札３２が乗客のカードから読み取ったカード情報を、該退場改札３２が設置されている駅を識別する退場駅情報とともに、退場時情報Ｆとして記憶部１３に記憶させる。入場改札３１及び退場改札３２において乗客によって同一のカードが提示された場合に、退場時情報Ｆのカード情報は、入場時情報Ｄのカード情報と一致する。
【００５３】
入場時情報Ｄ、乗車時情報Ｅ及び退場時情報Ｆとして記録されるデータは任意の形式で記録され、例えば文字列データ、数値データおよびバイナリデータのいずれでもよい。入場時情報Ｄ、乗車時情報Ｅ及び退場時情報Ｆは、データベースとして記録されてもよく、あるいはデータを列挙したリストとして記録されてもよい。
【００５４】
本実施形態に係る不正乗車検出装置１が行う不正乗車検出方法は、入場時処理と、乗車時処理と、退場時処理とを有する。入場時処理、乗車時処理及び退場時処理は並行して行われ、それぞれ乗客が駅へ入場する際の処理、乗客が車両へ乗車する際の処理、及び乗客が駅から退場する際の処理を含む。
【００５５】
［入場時処理のフローチャート］
図５は、本実施形態に係る不正乗車検出方法の入場時処理のフローチャートを示す図である。図５のフローチャートは、例えば不正乗車を監視するユーザ（駅員）が不正乗車検出装置１に対して所定の開始操作を行うことによって開始される。
【００５６】
まず不正乗車検出装置１の通信部１２は、入場改札３１及び第１カメラ２１から、乗客の入場時（すなわち入場改札３１の通過時）の情報を受信できる状態で待機する。通信部１２が入場時の情報を受信しない場合に（Ｓ１１のＮＯ）、通信部１２は入場時の情報の受信を確認する処理を繰り返す。
【００５７】
通信部１２が入場時の情報を受信した場合に（Ｓ１１のＹＥＳ）、情報取得部１１１は、通信部１２が入場改札３１から受信した情報から、入場改札３１が乗客のカードから読み取ったカード情報及び定期券区間情報と、該入場改札３１が設置されている駅を識別する入場駅情報とを取得する（Ｓ１２）。
【００５８】
第１画像取得部１１２は、第１カメラ２１から受信した情報から、ステップＳ１２で情報が取得された乗客が入場改札３１を通過した際に第１カメラ２１が撮像した第１画像を取得する（Ｓ１３）。第１画像取得部１１２は、ステップＳ１３で取得した第１画像から第１特徴情報を抽出する（Ｓ１４）。
【００５９】
情報取得部１１１及び第１画像取得部１１２は、ステップＳ１２〜Ｓ１４で取得したカード情報、定期券区間情報、入場駅情報、第１画像及び第１特徴情報を、関連付けて入場時情報Ｄとして記憶部１３に記憶させる（Ｓ１５）。このとき、情報取得部１１１は、入場時情報Ｄの区間外乗車フラグの初期値を区間外乗車でないことを示す値に設定する。
【００６０】
所定の終了条件（例えば駅員が不正乗車検出装置１に対して所定の終了操作を行うこと）が満たされない場合に（Ｓ１６のＮＯ）、不正乗車検出装置１はステップＳ１１に戻って処理を繰り返す。所定の終了条件が満たされる場合に（Ｓ１６のＹＥＳ）、不正乗車検出装置１は処理を終了する。
【００６１】
［乗車時処理のフローチャート］
図６は、本実施形態に係る不正乗車検出方法の乗車時処理のフローチャートを示す図である。図６のフローチャートは、例えば不正乗車を監視するユーザが不正乗車検出装置１に対して所定の開始操作を行うことによって開始される。
【００６２】
まず不正乗車検出装置１の通信部１２は、第２カメラ２２から、乗客の車両への乗車時の情報を受信できる状態で待機する。通信部１２が乗車時の情報を受信しない場合に（Ｓ２１のＮＯ）、通信部１２は乗車時の情報の受信を確認する処理を繰り返す。
【００６３】
通信部１２が乗車時の情報を受信した場合に（Ｓ２１のＹＥＳ）、第２画像取得部１１３は、通信部１２が第２カメラ２２から受信した情報から、第２画像を撮像した駅（すなわち乗車駅）を識別する乗車駅情報を取得する（Ｓ２２）。
【００６４】
第２画像取得部１１３は、通信部１２が第２カメラ２２から受信した情報から、乗客が車両に乗車した際に第２カメラ２２が撮像した第２画像を取得する（Ｓ２３）。第２画像取得部１１３は、ステップＳ２３で取得した第２画像から第２特徴情報を抽出する（Ｓ２４）。
【００６５】
第２画像取得部１１３は、ステップＳ２２〜Ｓ２４で取得した乗車駅情報、第２画像及び第２特徴情報を、関連付けて乗車時情報Ｅとして記憶部１３に記憶させる（Ｓ２５）。
【００６６】
判定部１１４は、ステップＳ２４で抽出された第２特徴情報を、記憶部１３に記憶された第１特徴情報のそれぞれと照合する。そして第１特徴情報と第２特徴情報とが類似している場合に、判定部１１４は、該第１特徴情報が示す乗客と該第２特徴情報が示す乗客とが同一であると判定し、該第１特徴情報と該第２特徴情報とを関連付ける。そして判定部１１４は、ステップＳ２４で抽出された第２特徴情報に関連付けられた第１特徴情報を含む入場時情報Ｄを特定する（Ｓ２６）。
【００６７】
ステップＳ２２で取得した乗車駅が入場時情報Ｄの定期券区間外である場合に（Ｓ２７のＹＥＳ）、判定部１１４は、区間外乗車と判定する（Ｓ２８）。そして判定部１１４は、記憶部１３において入場時情報Ｄの区間外乗車フラグを区間外乗車であることを示す値に設定する。ステップＳ２２で取得した乗車駅が入場時情報Ｄの定期券区間内である場合に（Ｓ２７のＮＯ）、判定部１１４は、区間外乗車と判定せず、ステップＳ２９に進む。
【００６８】
所定の終了条件（例えば駅員が不正乗車検出装置１に対して所定の終了操作を行うこと）が満たされない場合に（Ｓ２９のＮＯ）、不正乗車検出装置１はステップＳ２１に戻って処理を繰り返す。所定の終了条件が満たされる場合に（Ｓ２９のＹＥＳ）、不正乗車検出装置１は処理を終了する。
【００６９】
［退場時処理のフローチャート］
図７は、本実施形態に係る不正乗車検出方法の退場時処理のフローチャートを示す図である。図７のフローチャートは、例えば不正乗車を監視するユーザが不正乗車検出装置１に対して所定の開始操作を行うことによって開始される。
【００７０】
図７のフローチャートは、乗客が通過した退場改札３２が設置されている駅が該乗客の定期券区間内である場合の処理を表している。乗客が通過した退場改札３２が設置されている駅が該乗客の定期券区間外である場合には、不図示の処理によって不足運賃の精算が行われる。
【００７１】
まず不正乗車検出装置１の通信部１２は、退場改札３２から、乗客の退場時（すなわち退場改札３２の通過時）の情報を受信できる状態で待機する。通信部１２が退場時の情報を受信しない場合に（Ｓ３１のＮＯ）、不正乗車検出装置１は退場時の情報の受信を確認する処理を繰り返す。
【００７２】
通信部１２が退場時の情報を受信した場合に（Ｓ３１のＹＥＳ）、情報取得部１１１は、通信部１２が退場改札３２から受信した情報から、退場改札３２が乗客のカードから読み取ったカード情報と、該退場改札３２が設置されている駅を識別する退場駅情報とを取得する（Ｓ３２）。情報取得部１１１は、ステップＳ３２で取得したカード情報及び退場駅情報を、関連付けて退場時情報Ｆとして記憶部１３に記憶させる（Ｓ３３）。
【００７３】
出力部１１５は、記憶部１３から、ステップＳ３２で取得したカード情報に関連付けられた入場時情報Ｄに含まれる区間外乗車フラグを取得する（Ｓ３４）。ステップＳ３４で取得した区間外乗車フラグが区間外乗車であることを示す場合に（Ｓ３５のＹＥＳ）、出力部１１５は退場改札３２に区間外乗車であることを示す情報を出力するとともに、駅端末４に該乗客が区間外乗車を行ったことを示す情報と該乗客を特定する情報とを通知する（Ｓ３６）。退場改札３２は、区間外乗車であることを示す情報を受け取ることによって開閉体を閉鎖する。
【００７４】
ステップＳ３４で取得した区間外乗車フラグが区間外乗車でないことを示す場合に（Ｓ３５のＮＯ）、出力部１１５は退場改札３２に区間外乗車でないことを示す情報を出力し、退場改札３２は、区間外乗車でないことを示す情報を受け取ることによって開閉体を開放する（Ｓ３７）。
【００７５】
所定の終了条件（例えば駅員が不正乗車検出装置１に対して所定の終了操作を行うこと）が満たされない場合に（Ｓ３８のＮＯ）、不正乗車検出装置１はステップＳ３１に戻って処理を繰り返す。所定の終了条件が満たされる場合に（Ｓ３８のＹＥＳ）、不正乗車検出装置１は処理を終了する。
【００７６】
［第１の実施形態の第１の変形例］
上述の実施形態では一度でも区間外乗車が検出されると改札の閉鎖及び駅員への通知を行うが、１人の乗客について区間外乗車が検出された累計の回数に応じて改札の閉鎖及び駅員への通知を行ってもよい。判定部１１４は、ある乗客に対して区間外乗車と判定した場合に（図６のＳ２８）、記憶部１３において該乗客のカード情報に関連付けて区間外乗車が検出された回数（初期値はゼロ）を繰り上げる。
【００７７】
そして１人の乗客について記録した回数が所定値以上になった場合に、出力部１１５は、改札の閉鎖及び駅員への通知を行う（図７のＳ３６）。このような構成により、不正乗車検出装置１は、区間外乗車を繰り返す乗客を検出した場合に、改札の閉鎖及び駅員への通知を行うことができるので、１回の判定に誤りがあった場合に、乗客が不正乗車をしたと誤認してしまうことを防止できる。
【００７８】
出力部１１５は、判定部１１４における判定の確からしさに基づいて、改札の閉鎖及び駅員への通知を行うまでの回数を決定してもよい。出力部１１５は、例えば、第１特徴情報と第２特徴情報との類似度が高ければ高いほど回数を少なくする。このようにすることで、駅員は、第１画像及び第２画像に不正乗車をした乗客が鮮明に写っている場合に、短期間で乗客に注意を促すことができる。
【００７９】
［第１の実施形態の第２の変形例］
上述の実施形態は図２（ｃ）において区間外乗車を行う乗客が駅Ｃで一旦降車してから再び乗車することを想定しているが、特に列車が駅Ｃで折り返し運転を行う場合に乗客が駅Ｃで降車せずにそのまま継続乗車する場合がある。
【００８０】
そこで第２カメラ２２は、車両に乗車する際の乗客の顔を含む領域を撮像するだけでなく、さらに既に車両に乗車している乗客の顔を含む領域を撮像するように構成されてもよい。この場合に、第２カメラ２２は、所定のタイミング（例えば乗車駅からの乗客が乗車を開始する前のタイミング）で、車両内の乗客を撮像して第２画像を取得する。
【００８１】
そして不正乗車検出装置１は、車両に乗車する際の乗客又は既に車両に乗車している乗客の第２画像を含む乗車時情報Ｅを用いて、区間外乗車の判定を行う。このような構成により、折り返し運転が行われる駅で乗客が降車せずに継続乗車する場合であっても、区間外乗車の検出を行うことができる。
【００８２】
［第１の実施形態の効果］
本実施形態に係る不正乗車検出システムＳは、駅や車両に設けられたカメラを用いて乗客の顔を撮像することによって、乗客の区間外乗車を検出することができる。そのため、駅員が乗客の区間外乗車を監視する必要がなく、駅員の負担を軽減できる。また、不正乗車検出システムＳは従来のＩＣカード又は磁気カードを用いることができるため、乗客に負担を掛けることがない。
【００８３】
さらに不正乗車検出装置１によっては区間外乗車を行った乗客を特定して駅員に通知することによって、適切な運賃徴収を可能にし、乗客間の不公平を是正することができる。また、始発駅や急行停車駅等の特定の駅に区間外乗車の乗客が集中することによる混雑を緩和することができる。
【００８４】
（第２の実施形態）
第１の実施形態は乗客が車両に乗車するタイミング（すなわち乗車時）で区間外乗車の判定を行うのに対して、本実施形態は乗客が退場改札を通過するタイミング（すなわち退場時）で区間外乗車の判定を行う。これにより、乗客の退場時においても判定を行えるため、不正乗車検出方法の実装の自由度を高められるそれ以外の構成及び処理は、第１の実施形態と同様である。
【００８５】
［乗車時処理のフローチャート］
図８は、本実施形態に係る不正乗車検出方法の乗車時処理のフローチャートを示す図である。図８のフローチャートでは、図６のフローチャートのステップＳ２６〜Ｓ２８が省略されている。すなわち不正乗車検出装置１は、ステップＳ２１〜Ｓ２５において乗車時情報Ｅを記憶部１３に記憶した後、ステップＳ２９の条件に従って処理を繰り返し又は終了する。
【００８６】
［退場時処理のフローチャート］
図９は、本実施形態に係る不正乗車検出方法の退場時処理のフローチャートを示す図である。図９のフローチャートは、乗客が通過した退場改札３２が設置されている駅が該乗客の定期券区間内である場合の処理を表している。乗客が通過した退場改札３２が設置されている駅が該乗客の定期券区間外である場合には、不図示の処理によって不足運賃の精算が行われる。図９のフローチャートでは、図７のフローチャートのステップＳ３４が省略され、代わりにステップＳ３３の後であってステップＳ３５の前にステップＳ３９〜Ｓ４０が行われる。
【００８７】
まず不正乗車検出装置１は、ステップＳ３１〜Ｓ３３において、退場時情報Ｆを記憶部１３に記憶させる。次に判定部１１４は、ステップＳ３２で取得されたカード情報から入場時情報Ｄを特定し、該入場時情報Ｄに含まれる第１特徴情報を取得する（Ｓ３９）。
【００８８】
判定部１１４は、ステップＳ３９で取得された第１特徴情報を、記憶部１３に記憶された第２特徴情報のそれぞれと照合する。そして第１特徴情報と第２特徴情報とが類似している場合に、判定部１１４は、該第１特徴情報が示す乗客と該第２特徴情報が示す乗客とが同一であると判定し、該第１特徴情報と該第２特徴情報とを関連付ける。そして判定部１１４は、ステップＳ３９で取得された第１特徴情報に関連付けられた第２特徴情報を含む乗車時情報Ｅを特定する（Ｓ４０）。
【００８９】
ステップＳ４０で特定した乗車時情報Ｅの乗車駅が、ステップＳ３９で特定した入場時情報Ｄの定期券区間外である場合に、判定部１１４は、区間外乗車と判定する。またステップＳ４０で特定した乗車時情報Ｅの乗車駅が、ステップＳ３９で特定した入場時情報Ｄの定期券区間内である場合に、判定部１１４は、区間外乗車と判定しない。
【００９０】
そして不正乗車検出装置１は、判定部１１４による区間外乗車の判定結果に基づいて、ステップＳ３５〜Ｓ３８を行う。
【００９１】
［第２の実施形態の効果］
本実施形態に係る不正乗車検出装置１は、第１の実施形態と同様の効果を奏し、第１の実施形態とは異なる乗客の退場時のタイミングで区間外乗車の判定を行うことができる。そのため、不正乗車検出方法を実装する際の自由度を向上させることができる。また、本実施形態を第１の実施形態と組み合わせて、乗客が車両に乗車する際及び乗客が駅から退場する際の両方において、区間外乗車の判定を行ってもよい。
【００９２】
（第３の実施形態）
本実施形態は、入場時から退場時までの時間が通常よりも長い乗客に対して選択的に区間外乗車の判定を行うとともに、駅間の所要時間に基づいて第２画像（第２特徴情報）を選択して第１画像（第１特徴情報）との照合を行う。これにより、区間外乗車の判定対象の量を削減できるため、不正乗車検出装置１の負荷を軽減することができる。それ以外の構成及び処理は、第２の実施形態と同様である。
【００９３】
［判定対象の乗客及び画像の選択］
本実施形態において、不正乗車検出装置１は、図４（ａ）の入場時情報Ｄに入場時間（すなわち乗客が入場改札３１を通過した時間）をさらに記録し、図４（ｂ）の乗車時情報Ｅに乗車時間（すなわち乗客が車両に乗車した時間）をさらに記録し、図４（ｃ）の退場時情報Ｆに退場時間（すなわち乗客が退場改札３２を通過した時間）をさらに記録する。入場時間は第１画像が撮像された時間でもよく、乗車時間は第２画像が撮像された時間でもよい。
【００９４】
第１に、入場駅から退場駅までの経過時間が長い乗客は図２（ｃ）のように区間外乗車をしている可能性がある。そこで判定部１１４は、入場時間から退場時間までの経過時間が所定時間よりも長い入場時情報Ｄのみを選択して、区間外乗車の判定を行う。経過時間の判定基準とする所定時間は、入場駅から退場駅までの所要時間（すなわち通常掛かる時間）に所定の猶予（例えば１０分）を加えた値である。これにより、区間外乗車をしている可能性がある乗客のみを区間外乗車の判定の対象とすることができる。
【００９５】
第２に、区間外乗車を行う乗客が乗降する乗車駅（図２（ｃ）の駅Ｃ）は、列車の始発駅、急行列車の停車駅等の特定の駅であることが多い。駅間の所要時間はほぼ一定であるため、入場駅で撮像された第１画像の乗客を追跡するためには、入場時間から該所要時間が経過した前後の時間に乗車駅で撮像された第２画像のみを比較対象とすれば十分である。
【００９６】
そこで判定部１１４は、入場時に撮像された第１画像の第１特徴情報を、乗車時に撮像された第２画像の第２特徴情報と照合する際に、入場時間から乗車時間までの経過時間が所定の時間範囲内の第２画像の第２特徴情報のみを選択して照合対象とする。経過時間の判定基準とする所定の時間範囲は、入場駅から始発駅や急行停車駅等の特定の駅までの所要時間に基づく所定の時間範囲（例えば所要時間の前後に所定の猶予を設けた時間範囲）である。特定の駅が複数ある場合には、複数の時間範囲が設定されてもよい。これにより、区間外乗車を行っている乗客を撮像した可能性のある画像のみを、区間外乗車の判定の対象とすることができる。
【００９７】
また、判定部１１４は、経過時間の判定基準とする所定の時間範囲を、時間帯によって異なる値にしてもよい。判定部１１４は、例えば、電車の本数が少ない昼間の時間帯における時間範囲を通勤時間帯における時間範囲よりも長くする。このようにすることで、判定部１１４は、時間帯ごとに異なる所要時間に基づいて判定できるので、判定精度を向上させることができる。
【００９８】
［退場時処理のフローチャート］
図１０は、本実施形態に係る不正乗車検出方法の退場時処理のフローチャートを示す図である。図１０のフローチャートは、乗客が通過した退場改札３２が設置されている駅が該乗客の定期券区間内である場合の処理を表している。乗客が通過した退場改札３２が設置されている駅が該乗客の定期券区間外である場合には、不図示の処理によって不足運賃の精算が行われる。図１０のフローチャートでは、図９のフローチャートのステップＳ３３の後であってステップＳ３９の前にステップＳ４１が行われ、ステップＳ３９の後であってステップＳ４０の前にステップＳ４２が行われる。
【００９９】
まず不正乗車検出装置１は、ステップＳ３１〜Ｓ３３において、退場時情報Ｆを記憶部１３に記憶させる。次に判定部１１４は、ステップＳ３２で取得されたカード情報から特定された入場時情報Ｄに含まれる入場時間を取得する。また、判定部１１４は、ステップＳ３２で取得された退場時の情報から退場時間を取得する。入場時間から退場時間までの経過時間が所定時間以下である場合には（Ｓ４１のＮＯ）、出力部１１５は退場改札３２に区間外乗車でないことを示す情報を出力し、退場改札３２は、区間外乗車でないことを示す情報を受け取ることによって開閉体を開放する（Ｓ３７）。
【０１００】
入場時間から退場時間までの経過時間が所定時間よりも長い場合には（Ｓ４１のＹＥＳ）、判定部１１４は、ステップＳ３２で取得されたカード情報から入場時情報Ｄを特定し、該入場時情報Ｄに含まれる第１特徴情報を取得する（Ｓ３９）。
【０１０１】
判定部１１４は、ステップＳ３２で取得されたカード情報から特定された入場時情報Ｄに含まれる入場時間を取得するとともに、記憶部１３に記憶された各乗車時情報Ｅから乗車時間を取得し、該入場時間から該乗車時間までの経過時間を算出する。そして判定部１１４は、算出した経過時間が、入場駅から特定の駅までの所要時間に基づく所定の時間範囲内である乗車時情報Ｅの第２画像を選択する（Ｓ４２）。
【０１０２】
判定部１１４は、ステップＳ３９で取得された第１特徴情報を、ステップＳ４２で選択された第２画像の第２特徴情報のそれぞれと照合する。そして第１特徴情報と第２特徴情報とが類似している場合に、判定部１１４は、該第１特徴情報が示す乗客と該第２特徴情報が示す乗客とが同一であると判定し、該第１特徴情報と該第２特徴情報とを関連付ける。そして判定部１１４は、ステップＳ３９で取得された第１特徴情報に関連付けられた第２特徴情報を含む乗車時情報Ｅを特定する（Ｓ４０）。
【０１０３】
ステップＳ４０で特定した乗車時情報Ｅの乗車駅が、ステップＳ３９で特定した入場時情報Ｄの定期券区間外である場合に、判定部１１４は、区間外乗車と判定する。またステップＳ４０で特定した乗車時情報Ｅの乗車駅が、ステップＳ３９で特定した入場時情報Ｄの定期券区間内である場合に、判定部１１４は、区間外乗車と判定しない。そして不正乗車検出装置１は、判定部１１４による区間外乗車の判定結果に基づいて、ステップＳ３５〜Ｓ３８を行う。
【０１０４】
［第３の実施形態の効果］
本実施形態に係る不正乗車検出装置１は、第１の実施形態と同様の効果を奏するのに加えて、区間外乗車の判定対象とする乗客及び画像を時間に基づいて絞り込む。これにより、区間外乗車の判定対象の量を削減できるため、不正乗車検出装置１の負荷を軽減することができる。
【０１０５】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【０１０６】
不正乗車検出装置１の制御部１１（プロセッサ）は、図５〜１０に示す不正乗車検出方法に含まれる各ステップ（工程）の主体となる。すなわち、制御部１１は、図５〜１０に示す不正乗車検出方法を実行するための不正乗車検出プログラムを記憶部１３から読み出し、該不正乗車検出プログラムを実行して不正乗車検出装置１の各部を制御することによって、図５〜１０に示す不正乗車検出方法を実行する。図５〜１０に示す不正乗車検出方法に含まれるステップは一部省略されてもよく、ステップ間の順番が変更されてもよく、複数のステップが並行して行われてもよい。
【符号の説明】
【０１０７】
Ｓ  不正乗車検出システム
１  不正乗車検出装置
１１１  情報取得部
１１２  第１画像取得部
１１３  第２画像取得部
１１４  判定部
１１５  出力部
【図１】
2019067210.tif 000003
【図２】
2019067210.tif 000004
【図３】
2019067210.tif 000005
【図４】
2019067210.tif 000006
【図５】
2019067210.tif 000007
【図６】
2019067210.tif 000008
【図７】
2019067210.tif 000009
【図８】
2019067210.tif 000010
【図９】
2019067210.tif 000011
【図１０】
2019067210.tif 000012